(57)【要約】【課題】印刷が施し易く、廃棄処理等も簡単に行え、収容保持状態にある書類等を視認でき、書類等の出し入れがスムーズに行え、筆記具によって書き込みでき、使い勝手が良く、構成簡素で、製造し易く、量産に適し、低廉で、経済的な紙製ホルダーを提供する。【解決手段】適宜紙材で形成する裏面側紙シート１と、適宜紙材で形成すると共に、裏面側紙シート１に重なるように配する表面側紙シート２とからなり、裏面側紙シート１と表面側紙シート２は、一方の側縁部の接着部３と、底縁部の接着部４とによって接着し、他方の側縁部及び上縁部を開放状態とし、裏面側紙シート１は、透光性を有する紙材、或いは透光性を有しない紙材で形成し、表面側紙シート２は、透光性を有する紙材で形成し、表面側紙シート２の他方の側縁部の上部がわに略半円状の切欠部５を切設すると共に、表面側紙シート２の他方の側縁部の下端がわに略三角状の切欠部６を切設する。【選択図】図１
0003146046.tif 000002
【実用新案登録請求の範囲】
【請求項１】
略矩形状を呈する適宜紙材で形成される裏面側紙シートと、略矩形状を呈する適宜紙材で形成されると共に、裏面側紙シートに重なるように配される表面側紙シートとからなり、裏面側紙シートと表面側紙シートは、その一方の側縁部に形成した接着部と、その底縁部に形成した接着部とによって接着されて、その他方の側縁部及び上縁部が開放状態となり、裏面側紙シートは、透光性を有する紙材、或いは透光性を有しない紙材で形成し、表面側紙シートは、透光性を有する紙材で形成し、表面側紙シートの他方の側縁部の上部がわに略半円状の切欠部を切設すると共に、表面側紙シートの他方の側縁部の下端がわに略三角状の切欠部を切設したことを特徴とする紙製ホルダー。
【請求項２】
前記裏面側紙シートを、表面側紙シートより厚く、且つ透光性を有しない適宜紙材で形成したことを特徴とする請求項１記載の紙製ホルダー。
【考案の詳細な説明】
【技術分野】
【０００１】
本考案は、例えば、適宜書類等の取出しや収容が容易となり、収容保持状態にある書類等がボルダーの上から視認でき、使い勝手が良く、しかも、構成が簡素で、量産に適し、低廉で、経済的で、印刷やその廃棄処理等も簡単に行えるように工夫した紙製ホルダーに関するものである。
【背景技術】
【０００２】
従来、この種のホルダーとしては、例えば、特許文献１のようなファイルが開示されている。これは、ファイル本体が少なくとも表裏別体の２片からなり、該表裏両片の少なくとも一側縁部と下縁部とが所定幅にシールされたもので、更に、ファイル本体の両片がともに紙製シートからなるファイルが提案されている。
【０００３】
【特許文献１】特開２００３−２５７７８
【考案の開示】
【考案が解決しようとする課題】
【０００４】
そして、前述のようなファイルによって、その製造を容易とし、プリンターによる印刷等が可能となったが、収容した書類等を外部から視認することができない難点や、書類等の取出しや収容が行い難い等の難点があった。
【課題を解決するための手段】
【０００５】
そこで、前述のような難点等を解消できるようにすべく、本願考案者によって本考案が案出されたものである。
しかして、本考案の請求項１記載の紙製ホルダーにあっては、略矩形状を呈する適宜紙材で形成される裏面側紙シート１と、略矩形状を呈する適宜紙材で形成されると共に、裏面側紙シート１に重なるように配される表面側紙シート２とからなり、裏面側紙シート１と表面側紙シート２は、その一方の側縁部に形成した接着部３と、その底縁部に形成した接着部４とによって接着されて、その他方の側縁部及び上縁部が開放状態となり、裏面側紙シート１は、透光性を有する紙材、或いは透光性を有しない紙材で形成し、表面側紙シート２は、透光性を有する紙材で形成し、表面側紙シート２の他方の側縁部の上部がわに略半円状の切欠部５を切設すると共に、表面側紙シート２の他方の側縁部の下端がわに略三角状の切欠部６を切設する手段を採用した。
【０００６】
また、本考案の請求項２記載の紙製ホルダーにあっては、前記裏面側紙シート１を、表面側紙シート２より厚く、且つ透光性を有しない適宜紙材で形成する手段を採用した。
【考案の効果】
【０００７】
従って、本考案の請求項１記載の紙製ホルダーによれば、略矩形状を呈する適宜紙材で形成される裏面側紙シート１と、略矩形状を呈する適宜紙材で形成されると共に、裏面側紙シート１に重なるように配される表面側紙シート２とからなり、裏面側紙シート１と表面側紙シート２は、その一方の側縁部に形成した接着部３と、その底縁部に形成した接着部４とによって接着されて、その他方の側縁部及び上縁部が開放状態となるので、構成が簡素で、製造し易く、量産に適し、低廉で、経済的な紙製ホルダーとなる。
また、裏面側紙シート１や表面側紙シート２にオフセット印刷等による適宜印刷や、プリンターによる印刷等が施し易いものとなる。しかも、筆記具によってホルダー表面に簡単に書き込むこともできるようになる。
更に、全てが紙製であるため、その製造が石油に依存しなくて済むようになると共に、廃棄処理等も簡単に行えるようになる。ひいては、環境に優しい紙製ホルダーとなる。
【０００８】
特に、表面側紙シート２は、透光性を有する紙材で形成し、裏面側紙シート１は、透光性を有する紙材、或いは透光性を有しない紙材で形成したので、収容保持状態にある書類等を、少なくとも表面側紙シート２（及び裏面側紙シート１）の上から視認できるようになり、使い勝手の良い紙製ホルダーとなる。
【０００９】
更に、表面側紙シート２の他方の側縁部の上部がわに略半円状の切欠部５を切設したので、切欠部５を利用して表面側紙シート２を裏面側紙シート１から離すようにして、他方の側縁部と上縁部の開放部分を大きく開くことができるようになり、書類等の出し入れをスムーズに行えるようになる。
加えて、表面側紙シート２の他方の側縁部の下端がわに略三角状の切欠部６を切設したので、表面側紙シート２の他方の側縁部の下部がわ開放部分を無理なくより大きく開くことができるようになり、書類等の出し入れがよりスムーズに行えるようになる。
【００１０】
また、本考案の請求項２記載の紙製ホルダーによれば、表面側紙シート２より厚く形成した裏面側紙シート１によって、ホルダー全体の強度（及び剛性）を高められるようになり、収容保持状態の書類等を保護し易くなると共に、ホルダー自体がより取扱い易いものとなる。
しかも、裏面側紙シート１は、透光性を有しない適宜紙材で形成することで、かなり厚い紙材を利用できるようになると共に、表面側紙シート２と異なった質感等を表現できるようになり、興趣に富む紙製ホルダーを提供できるようになる。
【考案を実施するための最良の形態】
【００１１】
以下、本考案を説明すると、次の通りである。
本考案は、主に、適宜書類等を収容保持できるようにした紙製ホルダーに係り、この紙製ホルダーは、略矩形状を呈する適宜紙材で形成される裏面側紙シート１と、略矩形状を呈する適宜紙材で形成されると共に、裏面側紙シート１に重なるように配される表面側紙シート２とからなっている。
そして、裏面側紙シート１と表面側紙シート２は、その一方の側縁部に形成した接着部３と、その底縁部に形成した接着部４とによって接着されて、その他方の側縁部及び上縁部が開放状態となっている。すなわち、この開放状態部分を利用して書類等を出し入れできるように形成してある。
加えて、裏面側紙シート１は、透光性を有する紙材、或いは透光性を有しない紙材で形成し、表面側紙シート２は、透光性を有する紙材で形成してある。すなわち、収容保持状態にある書類等を、少なくとも表面側紙シート２（及び裏面側紙シート１）の上からは視認できるように形成してある。
更に、表面側紙シート２の他方の側縁部の上部がわに略半円状の切欠部５を切設すると共に、表面側紙シート２の他方の側縁部の下端がわに略三角状の切欠部６を切設して構成されている。
【実施例】
【００１２】
前記裏面側紙シート１は、例えば、用紙や写真等の各種の所定サイズより僅かに大きい矩形シート状に形成されており、しかも、透光性を有する適宜紙材や、或いは透光性を有しない適宜紙材によって形成されている。
ところで、裏面側紙シート１を透光性を有しない紙材で形成する場合、比較的厚い（少なくとも表面側紙シート２より厚い）紙材を利用して、ホルダー全体の強度（及び剛性）を高められるようにして、収容保持状態の書類等が保護し易くなるように形成したり、ホルダー自体が取扱い易くなるように形成することができる。しかも、表面側紙シート２と異なった質感等を備えた紙材を利用できるようになり、興趣に富む紙製ホルダーを形成できるようになる。
【００１３】
前記表面側紙シート２は、例えば、用紙や写真等の各種の所定サイズより僅かに大きく且つ裏面側紙シート１に重なるように配置可能な矩形シート状に形成されており、しかも、透光性を有する適宜紙材によって形成されている。尚、表面側紙シート２の透光性の度合いは、収容保持されている書類等の内容を表面側紙シート２の上から認識できる程度のものが好ましい。
【００１４】
前記接着部３は、例えば、裏面側紙シート１と表面側紙シート２の一方の側縁部に略細長帯状に形成されるもので、裏面側紙シート１と表面側紙シート２の一方の側縁部を確実且つ簡単に接着できるものであれば良い。しかも、この接着部３は、できる限り細く形成される方が望ましい。
【００１５】
前記接着部４は、例えば、裏面側紙シート１と表面側紙シート２の底縁部に略細長帯状に形成されるもので、裏面側紙シート１と表面側紙シート２の底縁部を確実且つ簡単に接着できるものであれば良い。しかも、この接着部４は、できる限り細く形成される方が望ましい。また、接着部４は、裏面側紙シート１と表面側紙シート２の一方の側縁部から所定距離分離れた位置から他方の側縁部に亙って形成され、裏面側紙シート１と表面側紙シート２の底縁部の一部を非接着部分としている（図１参照）。
【００１６】
前記切欠部５は、例えば、略半円状を呈し、表面側紙シート２の他方の側縁部の上部がわに切設されている。すなわち、切欠部５を利用して手指により表面側紙シート２を摘み易くすると共に、表面側紙シート２を裏面側紙シート１から離し易くなるように形成してある。
【００１７】
前記切欠部６は、例えば、略三角状を呈し、表面側紙シート２の他方の側縁部の下端がわに切設されている。すなわち、表面側紙シート２の他方の側縁部の下部がわ開放部分を無理なくより大きく開くことができるように形成してある。
【００１８】
ところで、紙製ホルダーの具体的構成、形状、寸法、材質、裏面側紙シート１の具体的構成、形状、寸法、材質、表面側紙シート２の具体的構成、形状、寸法、材質、接着部３の具体的構成、形状、寸法、材質、接着部４の具体的構成、形状、寸法、材質、切欠部５の具体的形状、寸法、配設位置、数、切欠部６の具体的形状、寸法、配設位置等は、図示例等に限定されることなく、適宜自由に設定、変更できるものである。
【図面の簡単な説明】
【００１９】
【図１】本考案の紙製ホルダーの分解斜視図である。
【図２】本考案の紙製ホルダーの正面図である。
【符号の説明】
【００２０】
１      裏面側紙シート
２      表面側紙シート
３      接着部
４      接着部
５      切欠部
６      切欠部
【図１】
0003146046.tif 000003
【図２】
0003146046.tif 000004